【事件の表示】
　特許第２６９３０１２号「シート分類装置」の請求項１ないし２に係る特許に対する特許異議の申立てについて、次のとおり決定する。
【結論】
　訂正を認める。
　特許第２６９３０１２号の請求項１に係る特許を維持する。
【理由】
（１）手続の経緯
　特許第２６９３０１２号の請求項１、２に係る発明ついての出願は、平成２年４月９日に出願され、平成９年９月５日にその発明について特許の設定登録がされ、その後、その特許について、異議申立人山口十四治により特許異議の申立てがなされ、取消理由通知がなされ、その指定期間内である平成１１年４月２０日に訂正請求がなされたものである。
（２）訂正の適否についての判断
　ア．訂正の内容
　特許権者が求めている訂正請求書における訂正の内容は、本件特許明細書を以下のとおりに訂正しようとするものである。
訂正事項ａ
　特許請求の範囲において、請求項１を以下のように訂正し、請求項２を削除する。
　「１．円柱状の支持コロを備え、配列方向に移動する多数のビンと、
　該ビンにシートを排出するシート排出手段と、該各ビンのコロに係合してこれを移送する溝と、この溝へ該各ビンのコロを導入するエッジ部とを備え、該シート排出手段に臨んで前記ビンを各拡開するように回転する螺旋カム手段と
　を有するシート分類装置において、
　前記支持コロは、配列方向において他の支持コロと当接する大径部分と、すき間が形成される小径部分とを有し、このすき間に該エッジ部が進入すること、及び、
　前記小径部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分の外径が前記支持コロの先端部から基端部へ向かって漸増するように形成されていることを特徴とするシート分類装置。」と訂正する。
訂正事項ｂ
　平成９年４月２８日付手続補正書、第２頁（２）で訂正した記載（本件特許公報第３欄第４５行〜第４欄第１６行の記載）を以下のように訂正する。
　「本発明は、前記の事情に鑑みてなされたものであって、円柱状の支持コロを備え、配列方向に移動する多数のビンと、該ビンにシートを排出するシート排出手段と、該各ビンのコロに係合してこれを移送する溝と、この溝へ各ビンのコロを導入するエッジ部とを備え、該シート排出手段に臨んで前記ビンを各拡開するように回転する螺旋カム手段とを有するシート分類装置において、前記支持コロは、配列方向において他の支持コロと当接する大径部分と、すき間が形成される小径部分とを有し、このすき間に該エッジ部が進入すること、及び、前記小径部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分の外径が前記支持コロの先端部から基端部へ向かって漸増するように形成されていることを特徴とするシート分類装置である。
　（ホ）　作用
　以上、支持コロの小径部分のすき間に螺旋カム手段のエッジ部が進入することともに、前記小径部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分の外径が前記支持コロの先端部から基端部へ向かって漸増するように形成されていることにより、ビンの支持コロを螺旋カム手段により移送する際に、支持コロは螺旋カム手段に衝撃力少なく進入することができ、シート分類装置の稼働音を低減でき、かつ支持コロ及び螺旋カム手段の耐久性の向上並びにシートの整合性を大幅に向上できる。」
訂正事項ｃ
　平成９年４月２８日付手続補正書第２頁〜第３頁（５）で訂正した記載（本件特許公報第８欄第３１行〜第４０行の記載）を以下のように訂正する。
　「　以上説明したように、本発明によれば他の支持コロと当接する大径部分とすき間が形成される小径部分とを有した支持コロとし、さらに、前記小径部分が前記エッジ部に乗り上がる時点が遅れ、且つ前記前記小径部分の半径増大と共に該小径部分が徐々に持ち上げられるように、前記エッジ部の回転方向の傾斜に合わせて、前記支持コロの小径部分の外径が前記支持コロの先端部から基端部へ向かって漸増するように形成されているので、螺旋カム手段のエッジが衝撃力少なく進入することができ、シート分類装置の稼動音を低減でき、かつ支持コロ及び螺旋カム手段の耐久性の向上並びにシート整合性を大幅に向上することが可能となる。」
　イ．訂正の目的の適否、新規事項の有無及び拡張・変更の存否
訂正事項ａについて
　前記訂正事項ａは、願書に最初に添付した明細書及び図面の記載からみて特許請求の範囲の減縮に該当し、願書に最初に添付した明細書又は図面に記載した事項の範囲内の訂正であり、また、実質上特許請求の範囲を拡張又は変更するものではない。
訂正事項ｂ〜ｃについて
　これらの訂正は、上記訂正事項ａによる特許請求の範囲の記載の訂正に基づいて整合性を図るための訂正であり、明瞭でない記載の釈明に相当し実質的に特許請求の範囲を拡張又は変更するものではない。
　ウ．独立特許要件の判断
（訂正明細書の請求項１に係る発明）
　訂正明細書の請求項１に係る発明は、その特許請求範囲の請求項１に記載された次の事項により特定されるとおりのものである。
　「１．円柱状の支持コロを備え、配列方向に移動する多数のビンと、
　該ビンにシートを排出するシート排出手段と、
　該各ビンのコロに係合してこれを移送する溝と、この溝へ該各ビンのコロを導入するエッジ部とを備え、該シート排出手段に臨んで前記ビンを各拡開するように回転する螺旋カム手段と
　を有するシート分類装置において、
　前記支持コロは、配列方向において他の支持コロと当接する大径部分と、すき間が形成される小径部分とを有し、このすき間に該エッジ部が進入すること、及び、
　前記小径部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分の外径が前記支持コロの先端部から基端部へ向かって漸増するように形成されていることを特徴とするシート分類装置。」
（引用刊行物）
　当審が平成１１年１月２９日付けで通知した取消理由で引用した刊行物（特開昭６１−１１４９６５号公報）には、本件訂正明細書の発明に照らして表現すると、「円柱状のビンスペーサ２７及びこのビンスペーサ２７に突設した（小径の）ビントラニオン２８を備え、配列方向に移動する多数のビン１９と、
　該ビン１９に複写紙を排出する複写紙排出手段と、
　該各ビン１９のビントラニオン２８と係合してこれを移送する螺旋溝３５と、この螺旋溝３５へ該各ビン１９のビントラニオン２８を導入するエッジ部とを備え、該複写紙排出手段に臨んで前記ビン１９を拡開するように回転する螺旋カム２と、を有するソータにおいて、
　前記ビンスペーサ２７は、配列方向において他のビンスペーサ２７と当接する大径部分をなし、各ビントラニオン２８は小径であるため該ビントラニオン間にすき間が形成され、そのすき間に前記エッジ部が進入するよう構成されたソータ」が記載されている。
　そこで、上記訂正明細書の請求項１に係る発明と上記刊行物に記載の発明とを対比・判断する。
　上記刊行物に記載された発明における「円柱状のビンスペーサ２７及びこのビンスペーサ２７に突設した（小径の）ビントラニオン２８」、「複写紙」、「螺旋溝３５」、「螺旋カム４２」及び「ソータ」は、それぞれ、請求項１に係る発明における「円柱状の支持コロ」、「シート」、「溝」、「螺旋カム手段」及び「シート分類装置」に相当しており、上記刊行物には訂正明細書の請求項１に係る発明のかなりの部分の構成が記載されているけれども、結局、上記刊行物には、上記訂正明細書の請求項１に係る発明を特定するための事項である「前記小径部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分の外径が前記支持コロの先端部から基端部へ向かって漸増するように形成されている」とする事項が記載されていな。
　そして、当該事項により、上記訂正明細書の請求項１に係る発明はその明細書記載のような効果を奏するものであり、上記訂正明細書の請求項１に係る発明は、上記刊行物に記載の発明と同一の発明であるとも、また、上記刊行物に記載されたものから当業者が容易に発明をすることができたものであるとも認めることはできない。
　とすると、上記訂正明細書の請求項１に係る発明が特許出願の際独立して特許を受けることができないものとはいえない。
　エ．むすび
　以上のとおりであるから、上記訂正請求は、特許法第１２０条の４第２項及び同条第３項で準用する第１２６条第２−４項の規定に適合するので、当該訂正を認める。
（３）特許異議申立てについての判断
　ア．申立ての理由の概要
　異議申立人山口十四治は、証拠方法として甲第１号証（特開昭６１−１１４９６５号公報）及び甲第２号証（特開昭６２−２５９９６２号公報）を提示し、本件請求項１に係る特許発明は、甲第１号証に記載された発明に基づいて、本件請求項２に係る特許発明は甲第１号証、甲第２号証に記載された発明に基づいて各々当業者が容易に発明をすることができたものであるから、特許法第２９条第２項の規定に違反してなされたものであり、同法第１１３条第１項第２項により取り消すべきものである旨主張している。
　イ．本件発明
　特許第２６７６１４０号の請求項１、２に係る発明は、上記訂正が認められた結果、請求項１のみに係る発明となり、本件特許第２６７６１４０号の請求項１に係る発明（以下、「本件発明」という。）は、前記訂正明細書及び図面の記載からみて、上記（２）ウで認定したように、その訂正明細書の特許請求の範囲の請求項１に記載された事項により特定されるとおりのものである。
　ウ．引用例
　甲第１号証には、上記（２）ウにおける刊行物に相当しており、そこで認定したような発明或いは技術事項が記載されている。
　甲第２号証には、本件発明のシート分類装置に対応する用紙分類装置に関して、「トレー１はボール６をハウジングしており、モーター１０が回転することにより送り軸２が回転すると、トレーは送り軸のねじれ溝５に沿って上下する。」（その公報第２頁右下欄第１から第４行に記載）及び
「第６図は、第５図の送り軸のＡとＡ′の断面図にボールを入れた図であって、トレーにハウジングされたボールは、送り軸が回転するとねじれ溝内で自転しながらトレーを上下するのである。」（同第３頁左上欄第１０行から第１３行に記載）と記載されている。
　そして、上記記載及び図面の記載内容からみて、上記ボールは球体の形をしているものである。
　エ．対比・判断
　本件発明と甲第１号証及び甲第２号証に記載のものとを対比判断すると、
　本件発明と甲第１号証との対比については上記（２）ウにおける判断と変わるところはない。
　そして、甲第２号証に記載のもののボール６は、本件発明の支持コロに対応しているとしても、本件発明における支持コロの形状に関する構成とは全く異なるものであり、結局、甲第１号証及び甲第２号証には本件発明の構成の一部ずつが記載されているけれども、それらのいずれにも本件発明の構成の一部である「前記小径部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分の外径が前記支持コロの先端部から基端部へ向かって漸増するように形成されている」構成は有していないものである。
　したがって、本件発明は、上記構成を有していない甲第１号証及び甲第２号証に記載されたものに基づいて当業者が容易に発明をすることができたものとは認めることはできない。
　そして、本件発明は、上記構成により、上記訂正明細書に記載のような作用効果を奏するものである。
　エ．　むすび
　以上のとおり、異議申立ての理由及び証拠方法によっては、本件発明即ち本件請求項１に係る発明の特許を取り消すことはできない。
　また、他に本件請求項１に係る発明の特許を取り消すべき理由を発見しない。
　よって、結論のとおり決定する。
【異議決定日】
平成１１年８月１７日（１９９９．８．１７）
【訂正の要旨】
（３）訂正の要旨
▲１▼訂正事項ａ
　平成９年４月２８日付手続補正書別紙記載の特許請求の範囲（本件特許公報に記載の特許請求の範囲）において、請求項１を以下のように限定・補正し、請求項２を削除する。
「１．円柱状の支持コロを備え、配列方向に移動する多数のビンと、
　該ビンにシートを排出するシート排出手段と、
　該各ビンのコロに係合してこれを移送する溝と、この溝へ各ビンのコロを導入するエッジ部とを備え、該シート排出手段に臨んで前記ビンを各拡開するように回転する螺旋カム手段と
　を有するシート分類装置において、
　前記支持コロは、配列方向において他の支持コロと当接する大径部分と、すき間が形成される小径部分とを有し、このすき間に該エッジ部が進入すること、
及び、
　
前記小怪部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分の外径が前記支持コロの先端部から基端部へ向かって漸増するように形成されていること
▲２▼訂正事項ｂ
　平成９年４月２８日付手続補正書第２頁（２）で訂正した記載（本件特許公報第３欄第４５行〜第４欄第１６行の記載）を以下のように訂正する。
「　本発明は、前記の事情に鑑みてなされたものであって、円柱状の支持コロを備え、配列方向に移動する多数のビンと、該ビンにシートを排出するシート排出手段と、該各ビンのコロに係合してこれを移送する溝と、この溝へ各ビンのコロを導入するエッジ部とを備え、該シート排出手段に臨んで前記ビンを各拡開するように回転する螺旋カム手段とを有するシート分類装置において、前記支持コロは、配列方向において他の支持コロと当接する大径部分と、すき間が形成される小径部分とを有し、このすき間に該エッジ部が進入すること
、及び、前記小径部分が前記エッジ部に乗り上がる時点が遅れ、且つ前記小怪部分の半怪増大と共に該小怪部分が除々に持ち上げられるように、前記エッジ部の回転方向の傾斜に合わせて、前記支持コロの小怪部分の外怪が前記支持コロの先端部から基端部へ向かって漸増するように形成されていること
（ホ）作用
　
以上、
ことともに前記小怪部分が前記エッジ部に乗り上がる時点が遅れ、且つ前記小径部分の半径増大と共に該小径部分が除々に持ち上げられるように、前記エッジ部の回転方向の傾斜に合わせて、前記支持コロの小径部分の外径が前記支持コロの先端部から基端部へ向かって漸増するように形成されていることにより
▲３▼訂正事項ｃ
　平成９年４月２８日付手続補正書第２頁〜第３頁（５）で訂正した記載（本件特許公報第８欄第３１行〜第４０行の記載）を以下のように訂正する。
「以上説明したように、本発明によれば他の支持コロと当接する大径部分とすき間が形成される小径部分とを有した支持コロとし
、さらに、前記小径部分が前記エッジ部に乗り上がる時点が遅れ、且つ前記小径部分の半怪増大と共に該小径部分が除々に、持ち上げられるように、前記エッジ部の回転方向の傾斜に合わせて、前記支持コロの小径部分の外径が前記支持コロ先端部から基端部へ向かって漸増するように形成されている
（５４）【発明の名称】
シート分類装置
（５７）【特許請求の範囲】
　１．円柱状の支持コロを備え、配列方向に移動する多数のビンと、
　該ビンにシートを排出するシート排出手段と、
　該各ビンのコロに係合してこれを移送する溝と、この溝へ各ビンのコロを導入するエッジ部とを備え、該シート排出手段に臨んで前記ビンを各拡開するように回転する螺旋カム手段と
　を有するシート分類装置において、
　前記支持コロは、配列方向において他の支持コロと当接する大径部分と、すき間が形成される小径部分とを有し、このすき間に該エッジ部が進入すること、
及び、
　
前記小径部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分の外怪が前記支持コロの先端部から基端部へ向かって漸増するように形成されていること
【発明の詳細な説明】
（イ）産業上の利用分野
　本発明は複写機、印刷機、その他記録機器等の画像形成装置から搬出される複写紙・転写紙・記録紙といわれているいわゆるシート状部材（以下単にシートという）の分配・集積等に用いるシート分類装置（以下ソータという）に係り、詳しくは分類するシートに加わる衝撃緩和機構に関する。
（ロ）従来の技術
　一般にソータは１０段から２０段程度またはそれ以上のシート集積台（以下ビンと称す）が互いに間隔を有し隔置状態に設けられており画像形成装置から一定間隔で連続して搬出されるシートをベルトによる搬送手段又は複数のローラ手段もしくはこれらを組合せた搬送手段で各所定のビンまで順次搬送して送り込む構成である。
　これ等ソータを類別すると、一定の排出パスに対して、シートを集積するビン群が移動する構成のビン移動型ソータと、ビン群は固定して配置され、排出ユニットを各ビンに対応させたり、フラッパ（変向手段）により一定の主流パスよりシートを各ビンに送り込む構成のビン固定型ソータに分類できる。
　次に、ビン移動型ソータの構成を説明すると、従来から、シートが搬入されようとする位置にビンが移動した時にビンの入口間隔が広くなるようにビンを移動させる方法が知られている。例えば特許公開番号昭５６−７８７７０、昭５６−７８７６９、昭５７−４８５５、昭５７−４８５６、昭５７−１４１３５７に記載されているような手段が知られている。これは、各ビンの端部両側に個々に取付けられた一対の突起部材を回転ゼネバまたはリードカムによる拡間機構に係合させてシート搬入部において各ビン間隔を順次広げ、順次これを拡間機構に積重ねていくことにより、ビン群全体の昇降を達成するという構成をとっている。
　そして、リードカムの溝面に係合して上昇、あるいは下降動作を極部的に増長し、シートを受け入れ易くし、シートの受け入れ終了後は順次上部・下部に積重ねるという構成であり、この時リードカムの上面部においてビン群全体（ビンユニット）の支持位置を決め、ビンユニットの上昇、下降を行なうものである。
（ハ）発明が解決しようとする課題
　しかしながら、上述の従来例のビン移動型ソータ、具体的には、ビンの基端部両側を支持するコロをリードカムの溝側面により昇降させるソータでは、リードカムの溝側面の端部のナイフエッジがコロ群間に割り込み掬い上げ、下げするのであるが、このナイフエッジが尖鋭で、かつコロに与える加速度をならすような曲面にできておればよいのであるが、このような溝側面は強度的に成立ちにくく、工作的にも難しくて、コロに衝撃を与えるものであり、この結果、稼動音を増長すると共に、衝撃時の振動によりビン内で既に整合されているシートの整列性を乱すという欠点があった。
　そこで、本発明は螺旋カム手段とビンのコロとが係合を始める部分における段差を少なくするようにして、ビンのコロが螺旋カム手段に進入するときの騒音低下、シート整合性の向上並びにビンのコロ及び螺旋カム手段の耐久性を向上できるシート分類装置を提供することを目的とするものである。
（ニ）課題を解決するための手段
　本発明は、前記の事情に鑑みてなされたものであって、円柱状の支持コロを備え、配列方向に移動する多数のビンと、該ビンにシートを排出するシート排出手段と、該各ビンのコロに係合してこれを移送する溝と、この溝へ各ビンのコロを導入するエッジ部とを備え、該シート排出手段に臨んで前記ビンを各拡開するように回転する螺旋カム手段とを有するシート分類装置において、前記支持コロは、配列方向において他の支持コロと当接する大径部分と、すき間が形成される小径部分とを有し、このすき間に該エッジ部が進入すること
、及び、前記小径部分が前記エッジ部に乗り上がる時点が遅れ、且つ前記小径部分の半怪増大と共に該小径部分が徐々に持ち上げられるように、前記エッジ部の回転方向の傾斜に合わせて、前記支持コロの小径部分の外径が前記支持コロの先端部から基端部へ向かって漸増するように形成されていること
（ホ）作用
　
以上、
ことともに、前記小径部分が前記エッジ部に乗り上がる時点が遅れ、且つ前記小径部分の半径増大と共に該小径部分が徐々に持ち上げられるように、前記エッジ部の回転方向の傾斜に合わせて、前記支持コロの小径部分への外径が前記支持コロの先端部から基端部へ向かって漸増するように形成されていることにより
（ヘ）実施例
　以下、図面に沿って本発明の実施例を説明する。
　ソータ１は第５図乃至第７図に示すように、１対の左右の側板３、ベース５及びカバー４からなるソータ本体６を有すると共に、多数のビンＢ…を収納し、前後の側板３にそれぞれ設けられているガイドレール７に沿って上下に移動し得るビンユニット９を備えている。
　そして、ソータ本体６には、複写機等の画像形成装置からの排出シートを搬入する搬入口１０が設けられており、該搬入口１０から上記ビンユニット９方向にかけて第１のシート搬送路１１が構成され、また該第１のシート搬送路１１から分岐して第２のシート搬送路１２が構成されており、第１のシート搬送路１１の下流側には上部排出ローラ対１３が、また第２のシート搬送路１２の下流側には、下部排出ローラ対１５がそれぞれ配置されている。また、これら第１及び第２のシート搬送路１１，１２の分岐部には搬入ローラ対１６及びフラッパ１７が配置されており、フラッパ１７は選択的に変位して上部排出ローラ対１３からビンＢに排出するシートを第１のシート搬送路１１へ誘導し、また下部排出ローラ対１５からビンＢ…に排出するシートを第２のシート搬送路１２へ誘導する。
　第２のシート搬送路１２のシート排出部近傍にシートを検知する紙センサ５０が配設されている。本実施例において紙センサ５０はホトインタラプタ内蔵型のソードスイッチで構成されているが、透過型センサなどでも同様の効果が得られる。図示しない画像形成装置の排紙センサはシートの通過時間、送られてくるシートとシートとの間隔（紙間）をも、計測可能であり、図示しない画像形成装置本体に組込まれた演算回路により、シートの排紙信号、紙間信号を発令し、ソータ内のマイコンに前記信号を伝送するするようになっている。
　ビンユニット９は、前後に１対の枠構造のビン支板１９を有しており、該ビン支板１９の先端にはビンスライダ２０が取り付けられ、更にビン支板１９とビンスライダ２０とがビンカバー２１で固定されている。
　また、該ビンカバー２１からビン支板１９にかけて、第６図及び第７図に詳示するように、整合基準部材２２が固設されており、更に各ビンＢ…に設けられた切欠き２３を全ビンに亙って貫通する整合棒２５が揺動自在に配置されていて、ビンＢ…に収納されたシートが該整合棒２５の移動によって上記整合基準部材２２に押し付けられて整合される。
　そして、該ビンユニット９に収納されるビンＢ…は、その一端部がビンスライダ２０のクシ歯状溝にそれぞれ移動可能に乗せられており、また基端部の前後には、第８図に詳示するように、ピン２６が固設されている。そして、該ピン２６は上記前後のビン支板１９にそれぞれ設けられているスリット２７を貫通し、該スリット２７を貫通したピン２６には緩衝材Ｏリング２９を介してコロ３０が回転自在に挿入されており、各ビンＢのコロ３０が積み重ねられるように上記ガイドレール７に嵌入して、最下位のコロ３０がビン支板１９に回転自在に支持された下部ガイドコロ３１に当接し、また最上位のコロ３０がビン支板１９に回転自在に支持された上部ガイドコロ３２に当接して、各ビンＢ…はビンユニット９にビン間隔をコロ３０の径に等しく一定に保たれるように支持される。
　そして、第５図に示すように、ビンユニット９は上記上部ガイドコロ３２及び下部ガイドコロ３１をガイドレール７に嵌入し、該ガイドレール７に沿って上下に移動し得るようになっている。なお、該ビンユニット９のビン支板１９に固設された金具３３とソータ本体６の側板３との間には、ばね３５が張設されており、ビンユニット９を引き上げるように付勢するようになっている。
　また、前後の側板３，３の下部排出ローラ対１５に対向する位置には、第６図及び第９図に示すように、カム軸ホルダ３６，３６がそれぞれ配置されており、該カム軸ホルダ３６，３６と上記ベース５との間には軸受３７，３７を介してそれぞれリードカム軸３９，３９が回転自在に配設されている。そして、前後に配設された該リードカム軸３９の上方にはそれぞれ螺旋状カム面を備えた前側と後側のリードカム４０，４０が固設され、側板３の下方にはプーリ４１が固設され、該プーリ４１とシフトモータ４２との間にはタイミングベルト４３が懸架されていて、これらリードカム４０，４０は選択により正逆両方向に回転するシフトモータ４２によって正逆方向に回転し得るようになっている。またシフトモータ４２からリードカム４０への駆動伝達はモータ出力プーリ４６上部に一体的に成形されたカサバギヤと噛合うカサバギヤ４７により前後側板３，３を貫通する貫通軸４８により駆動伝達がなされ、貫通軸４８の前側板側のカサバギヤ４７、プーリギヤ４６、タイミングベルト４３、プーリ４１を介してリードカム軸３９、前側のリードカム４０の回転を可能とする。
　またシフトモータ４２の出力側と反対側の軸には、クロック円板３８が固設されており、側板３にセンサホルダ４５を介して保持されたインタラプタ４４により、モータの回転数、即ちリードカム４０の回転数を読み取ることが可能となり、ソータマイコン内のリードカム制御回路と共に、リードカム４０の回転数を自在に制御することを可能とする。
　また、第１０図のリードカム４０の下方にリードカム軸３９の軸上に、リードカム４０の位置を認識するためのフラッグ５１，５２が固設されている。フラッグ５１，５２を読み取るためのインタラプタ５３，５４はリードカム４０の位置検知器ホルダ５５に保持され、後側板３に支持されている。フラッグ５１，５２は、そのフラッグ角度は同一であるが、位相が所定量ズレており、このズレ分により、ビンＢが上昇方向のホームポジションか、下降方向のホームポジションかを２個のインタラプタ５３，５４のオン・オフの組合せにより判断する。本実施例においては、リードカム４０の平行部（約１８０゜第３図参照）と合わせてフラッグ５１，５２の角度を決定している。ちなみに、位相は所定角（約３０°）ズラしており、この角度ズレ分と、インタラプタ５３，５４のオン、オフとによってリードカム４０の位置を判断している。
　次に、リードカム４０の形状とこれに係合するビンＢのコロ３０によって決定されるビンＢの動きについて説明する。第１１図（ａ）は前側リードカム４０と、第１１図（ｂ）は後側リードカム４０と、コロ３０とビンＢとの関係を示した図である。第１１図（ｃ）は前、後のリードカム４０の平面図である。第１１図からわかるように、前後のリードカム４０は回転方向を逆にしている。即ち、前後のリードカム４０は鏡面対称形となる。また、ビンＢａ，Ｂｂ間拡開部Ｘ、ビンＢｂ，Ｂｃ間拡開部Ｙ２ヶ所拡開可能な構成にしてあるが、これはビンＢ内に進退可能なシートＰと綴じ手段４９とを具備するためであり、綴じ手段４９がない場合、シートＰの搬入用の拡開部Ｘのみで良い。リードカム４０が回転すると、リードカム４０の溝４０ａによりガイドレール７に沿って上昇したり下降したりする。第１１図（ａ），（ｂ）に示したように、ガイドレール７に一部屈曲部があるのは、本実施例においてシート綴じ手段４９を具備するためであって、この構成を限定するものではない。
　第３図において、シートＰを下部排出ロ−ラ対１５からビンＢへ排出（このとき、リードカム４０は回転していても、コロ３０ｅの高さ方向の位置は変わらないので、下部排出口−ラ対１５に対して、シートＰを排出しているビンＢｅは、リードカム４０が回転しているにもかかわらず停止状態にある）する。
　また、リードカム４０の位置検知用のフラッグ５１，５２において、互に他のフラッグに重ならないａ，ｂ部分が第３図のリードカム線図でいえば、それぞれ１８０度、３６０度の近傍と同期しており、フラッグ５１，５２のｂで示す部分がインタラプタ５３，５４によって検知されるときに（５３がＯＮ，５４がＯＦＦした時）、リードカム４０のナイフエッジ部４０ｂ（第１図（ａ）参照）がコロ３０に衝突する瞬間となる。
　また、ビンＢ下降時にはリードカム４０のナイフエッジ部４０ｃが３６０度を経過した時点でコロ３０の間に到達する。コロ３０がリードカム４０の３６０度の地点においては、第１０図（ａ）に示すように、リードカム４０の位置検知用のフラッグ５１，５２のａ部分はインタラプタ５３，５４に到達する。詳細には、フラッグ５２の端部がインタラプタ５４によって検出される。
　また、第１図（ａ），（ｂ）に示すように、本実施例で特記することは　ビンＢのコロ３０の先端細り部５６の外径が漸減するように形成されている。
　この漸減する形状は太鼓型でも、円錐型でもよい。
　次に画像形成装置からソータ内にシートが搬入してビンへ排出し、シフトを完了するまでの一連の動作を説明する。
　先ず、図示せぬ画像形成装置より排出されたコピーされたシートＰは、ソータ１の搬入口１０より、搬入ロ−ラ対１６及びフラッパ１７を介して、ノンソート時には上部排出ロ−ラ対１３より排出し、ソート時には第２のシート搬送路１２により下方向に搬送される。図示しない画像形成装置制御回路より、紙サイズ、紙間、搬送スピードの情報をソータ１内の制御回路に伝送する。前記情報によりソータ１内のマイコンは、リードカム４０の回転スピード及び下部排出ロ−ラ対１５よりシートＰをビンＢ内に排出し始める位置、排出を完了する位置、紙間でビンＢをシフトする範囲を決定する。具体的には第３図において、カム線図３６０度の位置はビンユニット９が下降時にシートＰを下部排出ロ−ラ対１５より排出し始める位置であり、ビンユニット９が上昇の時には、シートＰを排出し終わる位置である。また１８０度の位置はビンユニット９が上昇時には、シートＰを排出し始める位置、下降時にはシートＰを排出し終わる位置である。紙間においては、０〜１８０度の位置で各ビンＢをシフトするものである。更に、ビンＢのコロ３０がリードカム４０に進入する際の作用を詳細に説明する。
　第１３図に示すように、コロ３０は同じ外径であり、リードカム４０のナイフエッジ部４０ｃ（ナイフエッジ部４０ｂに対しても同じ）は強度上弱くなるという問題があるため、実際上厚さがある。そして、この厚さからできる段にコロ３０の先端が早い時点で衝突し、かつ乗り上がる。
　このことは、ビンＢにリードカム４０が衝撃を与えることにより、ガイドレール７との係合ガタ間を左右に振動すると共に、上下方向にも振動をし、ビンＢ内に積載されていたシートＰは第４図に示すように、ビンＢの後端ストッパ５７から離れる。シートＰが小数枚積載されているときには、ビンＢの傾斜により再び下方に復元するが、積載枚数が多量のときには上方のシートＰの重力によりビンＢの底面と最下部のシートＰの下面との間の摩擦抵抗が大きくなり復元しなくて、空隙部５８を形成して、シートＰの整合不良を起す。特に整列性を要求される高品位ソータや、自動的にホチキス（綴じ手段４９により）止めをするステイプルソータは成立たないことになる。
　ところが、第１図（ａ），（ｂ）に示す本実施例のように構成すると、コロ３０に設けた先端細り部５６ｂのリードカム４０のナイフエッジ部４０ｂに乗り上がる時点が遅れることになり、ナイフエッジ部４０ｂの先端厚さが薄くなったと同じ効果となり、ビンＢに与える衝撃力や振動を、所定の値よりも減少させる。例えば、コロ３０の先端の半径を、先端より基端部に向かって漸増しておけば、コロ３０は段差なしにリードカムに移動し、コロ３０の半径増大と共に徐々に持ち上げられ、衝撃をほとんど無くさせることができる。なお、ナイフエッジ部４０ｃについても同様である。
　次に第１２図を参照して、他の実施例を説明する。
　本実施例においては、コロ３０の径は一定とし、リードカム４０のナイフエッジ部４０ｂを回転方向に対し、後退させたものである。このことは、コロ３０とナイフエッジ部４０ｂとが斜めに衝突するため衝突による衝撃が軽減される。即ち、ナイフエッジ部４０ｂ先端の厚さを薄くしたと同様の効果を有し、前記実施例とほぼ同じ効果を有する。ナイフエッジ部４０ｃに対しても同様である。
　かくして、ビンＢに積載されたシートＰの整合を大幅に向上できる。
　なお、前記実施例と前記他の実施例とを複合した構成、即ちコロ４０に先端細り部５６を形成し、かつリードカム４０のナイフエッジ部４０ｂ，４０ｃを回転方向に対して外方に向って後退させるよう形成することにより、更にソータ１の効果を向上できる。
（ト）発明の効果
　以上説明したように、本発明によれば他の支持コロと当接する大径部分とすき間が形成される小径部分とを有した支持コロとし
、さらに、前記小径部分が前記エッジ部に乗り上がる時点が遅れ、且つ前記小径部分の半怪増大と共に該小径部分が徐々に持ち上げられるように、前記エッジ部の回転方向の傾斜に合わせて、前記支持コロの小径部分の外径が前記支持コロの先端部から基端部へ向かって漸増するように形成されている
【図面の簡単な説明】
　第１図は本発明の実施例におけるビンを支持するコロとリードカムとの関係を示し、第１図（ａ）はビンを上昇するときの側面図、第１図（ｂ）はビンを下降するときの側面図、第２図はその断面平面図、第３図はそのリードカム線図、第４図はビン内のシートが整合不良を起した状態を示す断面正面図、第５図は本発明を実施したソータの断面正面図、第６図はその斜視図、第７図はそのビンユニットの斜視図、第８図はビンを支持するコロの断面詳細図、第９図はそのビン駆動系を示す正面図、第１０図（ａ）はリードカムの位置検知手段を示す平面図、第１０図（ｂ）はその側面図、第１０図（ｃ），（ｄ）は第１０図（ａ）の分解平面図、第１１図（ａ），（ｂ）は前後のリードカムとビンとの関係を示す正面図、第１１図（ｃ）はその平面図、第１２図は他の実施例を示す断面平面図、第１３図は第１２図に対応する従来例の断面平面図である。
　１…シート分類装置（ソータ）　、　７…ガイド（ガイドレール）　、　１５…シート排出手段（下部排出口−ラ）　、　３０…支持コロ（コロ）　、　４０…螺旋カム手段（リードカム）　、　４０ａ…溝　、　４０ｂ，４０ｃ…端部（ナイフエッジ部）　、　５６…支持コロ小径部分　、　５７…支持コロ大径部分　、Ｂ…ビン　、　Ｐ…シート　。